(57)【要約】【課題】前面側と後面側が区別され難い包装容器を提供する。【解決手段】第１の側面板１３の上端部１３ａからは、容器本体２１の上部開口の一部を塞ぐ第１の蓋板２３が延設され、第３の側面板１７の上端部１７ａからは、容器本体２１の上部開口の残部を塞ぐ第２の蓋板２５が延設されている。第１の蓋板２３の先端部２３ａからは、容器本体２１内に向かって下方に折り曲げられた第１の差込片２７が延設され、第２の蓋板２５の先端部２５ａからは、容器本体２１内に向かって下方に折り曲げられた第２の差込片２９が延設されている。第２の側面板１５の上端部１５ａからは、第１の折込片３７が延設されている。第４の側面板１９の上端部１９ａからは、第２の折込片４１が延設されている。【選択図】図１
2010030649.tif 000002
【特許請求の範囲】
【請求項１】
第１の側面板、第２の側面板、第３の側面板および第４の側面板がこの順に連設された容器本体と、
前記第１の側面板の上端部から延設され、前記容器本体の上部開口の一部を塞ぐ第１の蓋板と、
この第１の蓋板と略同形状であり、前記第３の側面板の上端部から延設され、前記容器本体の前記上部開口の残部を塞ぐ第２の蓋板と、
前記第１の蓋板の先端部から延設され、前記容器本体内に向かって下方に折り曲げられた第１の差込片と、
前記第２の蓋板の先端部から延設され、前記容器本体内に向かって下方に折り曲げられた第２の差込片と、
前記第２の側面板および第４の側面板の上端部からそれぞれ延設され、少なくとも前記第１の差込片および第２の差込片に沿った位置に切り込みが設けられ、前記蓋板の下側に位置するように内方に折り曲げられた一対の折込片と、を備えた包装容器。
【請求項２】
前記第１の蓋板の先端部から上方に延設された第１の吊り下げ片と、
この第１の吊り下げ片と略同形状であり、前記第２の蓋板の先端部から上方に延設され、前記第１の吊り下げ片に対向して配置された第２の吊り下げ片と、をさらに備えた、請求項１に記載の包装容器。
【請求項３】
前記第１の差込片が、前記第１の蓋板の先端部のうち前記第１の吊り下げ片が設けられた部位の両側からそれぞれ延設された２つの差込片に分割されており、
前記第２の差込片が、前記第２の蓋板の先端部のうち前記第２の吊り下げ片が設けられた部位の両側からそれぞれ延設された２つの差込片に分割されている、請求項２に記載の包装容器。
【請求項４】
前記容器本体が透明ないし半透明であり、前記第１の差込片と第２の差込片が略同形状であり、前記一対の折込片が略同形状である、請求項１に記載の包装容器。
【請求項５】
前記第１の差込片および第２の差込片は、これらの差込片が折り曲げられた部位の稜線よりも差込片の先端側に設けられ、かつ、前記稜線と略平行に設けられた切り込みをそれぞれ有している、請求項１に記載の包装容器。
【請求項６】
前記第１の蓋板は、その先端部に第１の凸部を有し、前記第２の蓋板は、その先端部のうち前記第１の凸部と対向する位置に第２の凸部を有している、請求項１に記載の包装容器。
【請求項７】
１枚のシートを折り曲げて組み立てられたものである、請求項１に記載の包装容器。
【発明の詳細な説明】
【技術分野】
【０００１】
本発明は、小物商品を収納し店頭などに陳列するための包装容器に関するものである。
【背景技術】
【０００２】
従来、小物商品を収納し店頭などに陳列するための包装容器が知られている（特許文献１参照）。特許文献１に記載の包装容器は、前面板と、この前面板に対向配置された後面板と、前面板および後面板とつなぐ一対の側面板とからなる容器本体を備えている。この容器本体の前面板の上端部からは、容器本体の上部開口全体を塞ぐ蓋板が延設されている。この蓋板の先端部からは、下方に折り曲げて蓋板を閉じた状態で保持するための差込片が延設されている。このような特許文献１に記載の容器では、蓋板が前面板の上端部から延設され、後面板側に掛け渡される構造であるので、消費者は、容器自体の前面側と後面側を明確に認識できる。
【特許文献１】特開平９−１２４０３２号公報
【発明の開示】
【発明が解決しようとする課題】
【０００３】
しかしながら、消費者に容器自体の前面側と後面側を認識させたくない場合もある。具体的には、例えば包装容器を日本国内だけでなく英語圏でも使用したい場合には、容器本体のいずれかの面に日本語で商品名などを印字し、この面の対向面に英語で商品名などを印字することがある。このように従来の包装容器では、前面側と後面側を認識させたくない場合でも蓋板の構造上、容器自体の前面側と後面側が明確に認識されてしまうという問題があった。
【０００４】
そこで、本発明は、かかる点に鑑みてなされたものであり、その目的とするところは、前面側と後面側が区別され難い包装容器を提供することにある。
【課題を解決するための手段】
【０００５】
本発明の包装容器は、第１の側面板、第２の側面板、第３の側面板および第４の側面板がこの順に連設された容器本体と、前記第１の側面板の上端部から延設され、前記容器本体の上部開口の一部を塞ぐ第１の蓋板と、この第１の蓋板と略同形状であり、前記第３の側面板の上端部から延設され、前記容器本体の前記上部開口の残部を塞ぐ第２の蓋板と、前記第１の蓋板の先端部から延設され、前記容器本体内に向かって下方に折り曲げられた第１の差込片と、前記第２の蓋板の先端部から延設され、前記容器本体内に向かって下方に折り曲げられた第２の差込片と、前記第２の側面板および第４の側面板の上端部からそれぞれ延設され、少なくとも前記第１の差込片および第２の差込片に沿った位置に切り込みが設けられ、前記蓋板の下側に位置するように内方に折り曲げられた一対の折込片と、を備えている。
【０００６】
この構成では、容器本体の上部開口が、対向配置された第１の側面板と第３の側面板からそれぞれ延設された略同形状の第１の蓋板と第２の蓋板により塞がれており、これらの蓋板からそれぞれ第１の差込片と第２の差込片が延設されている。このように包装容器の外観上、前面側と後面側の差異が小さいかもしくは差異がないので、本発明の包装容器は、店頭などに陳列されている際に消費者が前面側と後面側を区別するのが困難な構造となっている。
【０００７】
本発明の包装容器は、前記第１の蓋板の先端部から上方に延設された第１の吊り下げ片と、この第１の吊り下げ片と略同形状であり、前記第２の蓋板の先端部から上方に延設され、前記第１の吊り下げ片に対向して配置された第２の吊り下げ片と、をさらに備えているのが好ましい。
【０００８】
この構成では、略同形状で対向して配置された第１の吊り下げ片と第２の吊り下げ片を備えているので、前面側と後面側の区別がつき難いことに加え、吊り下げ片を用いて包装容器を吊り下げて陳列することができる。また、吊り下げ部分が第１の吊り下げ片と第２の吊り下げ片の２重構造であるので、吊り下げ部分自体の強度が高められている。しかも、第１の吊り下げ片にかかる負荷は、第１の蓋板およびこの蓋板とつながる第１の側面板にかかり、第２の吊り下げ片にかかる負荷は、第２の蓋板およびこの蓋板とつながる第３の側面板にかかる。このように吊り下げ部分にかかる負荷がそれぞれの吊り下げ片から第１の側面板側と第３の側面板側に分散される。これにより、吊り下げ部分自体の強度だけでなく包装容器全体の強度も向上させることができる。
【０００９】
前記第１の差込片は、前記第１の蓋板の先端部のうち前記第１の吊り下げ片が設けられた部位の両側からそれぞれ延設された２つの差込片に分割されており、前記第２の差込片は、前記第２の蓋板の先端部のうち前記第２の吊り下げ片が設けられた部位の両側からそれぞれ延設された２つの差込片に分割されているのが好ましい。
【００１０】
この構成では、第１の差込片と第２の差込片が各吊り下げ片の両側においてそれぞれ２つの差込片に分割され、吊り下げ片を中心として略対称な形状となっているので、依然として消費者には前面側と後面側の区別がつき難い。
【００１１】
前記容器本体が透明ないし半透明であり、前記第１の差込片と第２の差込片が略同形状であり、前記一対の折込片が略同形状であるのが好ましい。
【００１２】
この構成では、容器本体が透明ないし半透明であるので、容器内部に収納された商品を外部から確認することができるとともに、第１の差込片と第２の差込片が略同形状であり、一対の折込片が略同形状であるので、容器内部に配置された差込片および折込片が透けて見えたとしても依然として消費者には前面側と後面側が区別され難い。
【００１３】
前記第１の差込片および第２の差込片は、これらの差込片が折り曲げられた部位の稜線よりも差込片の先端側に設けられ、かつ、前記稜線と略平行に設けられた切り込みをそれぞれ有しているのが好ましい。
【００１４】
この構成では、第１の差込片と第２の差込片に上記切り込みが設けられているので、これらの差込片の切り込み部分が折込片の切り込み部分と係合して第１の蓋板と第２の蓋板が開くのを抑制する効果がさらに高められている。また、差込片の各切り込みが差込片の折り曲げられた位置（折り曲げ部位の稜線）よりも先端側に設けられている、すなわち、差込片の切り込み位置が折り曲げ位置と同一直線上には存在していないので、蓋板を繰り返し開閉することで折り曲げ部位に負荷がかかった場合であっても、切り込みが折り曲げ部位に進展するのを抑制できる。これにより、包装容器の耐久性を向上させることができる。
【００１５】
前記第１の蓋板は、その先端部に第１の凸部を有し、前記第２の蓋板は、その先端部のうち前記第１の凸部と対向する位置に第２の凸部を有しているのが好ましい。
【００１６】
この構成では、対向する位置に第１の凸部と第２の凸部が設けられているので、これらの凸部同士が接触することで第１の蓋板と第２の蓋板が開くのを互いに抑制し合う効果が得られる。これにより、蓋板が閉じられた状態をさらに安定して維持できる。
【００１７】
本発明にかかる組立容器は、１枚のシートを折り曲げて組み立てられたものであるので、組み立てが簡単である。
【発明の効果】
【００１８】
以上説明したように、本発明によれば、第１の側面板の上端部から延設され、容器本体の上部開口の一部を塞ぐ第１の蓋板と、この第１の蓋板と略同形状であり、第３の側面板の上端部から延設され、容器本体の上部開口の残部を塞ぐ第２の蓋板と、第１の蓋板の先端部から延設され、容器本体内に向かって下方に折り曲げられた第１の差込片と、第２の蓋板の先端部から延設され、容器本体内に向かって下方に折り曲げられた第２の差込片と、第２，第４の側面板の上端部からそれぞれ延設され、少なくとも第１，第２の差込片に沿った位置に切り込みが設けられ、蓋板の下側に位置するように内方に折り曲げられた一対の折込片と、を備えた構造であるので、包装容器の外観上、前面側と後面側に差異がほとんどない。これにより、包装容器が店頭などに陳列されている際に消費者に前面側と後面側を区別され難いという効果がある。
【発明を実施するための最良の形態】
【００１９】
以下、本発明の一実施形態について、図面を参照しつつ詳細に説明する。図１は、本実施形態にかかる包装容器１１を示す斜視図である。図２は、包装容器１１の上部と下部を開口した状態を示す斜視図である。図３は、包装容器１１の展開図である。本実施形態に係る包装容器１１は、図３に示すような透明なプラスチック製の１枚のシートを折り曲げて組み立てたものである。
【００２０】
図１〜３に示すように、包装容器１１は、矩形状の第１の側面板１３、第２の側面板１５、第３の側面板１７および第４の側面板１９がこの順に連設された容器本体２１を備えている。第１の側面板１３の側辺１３ｃには、この側辺１３ｃに沿って延設された貼り合わせ代６３が設けられている。この貼り合わせ代６３が第４の側面板１９の側部に接合されることにより容器本体２１が組み立てられる。
【００２１】
第１の側面板１３の上端部１３ａからは、容器本体２１の上部開口の一部を塞ぐ矩形状の第１の蓋板２３が延設されている。第３の側面板１７の上端部１７ａからは、容器本体２１の上部開口の残部を塞ぎ、第１の蓋板２３と同形状の第２の蓋板２５が延設されている。
【００２２】
第１の蓋板２３の先端部２３ａからは、略矩形状で先端部の２つの角に丸みをつけた第１の吊り下げ片３１が上方に延設されている。第２の蓋板２５の先端部２５ａからは、第１の吊り下げ片３１と同形状の第２の吊り下げ片３３が上方に延設されている。この第２の吊り下げ片３３は第１の吊り下げ片３１に対向して配置されている。
【００２３】
第１の吊り下げ片３１および第２の吊り下げ片３３には、円形の貫通口３１ａおよび貫通口３３ａがそれぞれ設けられている。これらの貫通口３１ａ，３３ａは、吊り下げ片３１，３３が対向配置されたときに連通する位置にそれぞれ穿孔されている。これらの貫通口３１ａ，３３ａに、陳列棚などに取り付けられる棒状の支持部材（不図示）が挿通されて包装容器１１が陳列される。
【００２４】
図２，３に示すように、第１の蓋板２３の先端部２３ａからは、第１の差込片２７が延設されている。第２の蓋板２５の先端部２５ａからは、第２の差込片２９が延設されている。これらの差込片２７，２９は、略同形状である。
【００２５】
第１の差込片２７は、第１の蓋板２３の先端部２３ａのうち第１の吊り下げ片３１が設けられた部位の両側からそれぞれ延設された２つの差込片２７ａ，２７ｂに分割されている。第２の差込片２９は、第２の蓋板２５の先端部２５ａのうち第２の吊り下げ片３３が設けられた部位の両側からそれぞれ延設された２つの差込片２９ａ，２９ｂに分割されている。
【００２６】
差込片２７，２９は、これらの差込片２７，２９が折り曲げられた部位の稜線Ｌよりも差込片２７，２９の先端側に設けられ、かつ、稜線Ｌと略平行に設けられた切り込み４３，４５をそれぞれ有している。
【００２７】
図２に示すように、第１の蓋板２３は、その先端部２３ａの両サイドに一対の第１の凸部２３ｂを有し、第２の蓋板２５は、その先端部２５ａのうち第１の凸部２３ｂと対向する位置に一対の第２の凸部２５ｂを有している。図１に示すように、凸部２３ｂと凸部２５ｂは、容器本体２１の上部開口を閉じた状態のときに互いに接触し合うことによって蓋板２３，２５が勝手に開かないようにストッパーの機能を果たしている。
【００２８】
第２の側面板１５の上端部１５ａからは、第１の折込片３７が延設されている。第４の側面板１９の上端部１９ａからは、第２の折込片４１が延設されている。第１の折込片３７には、第１の差込片２７および第２の差込片２９に沿った位置に切り込み３５が設けられている。これにより、第１の折込片３７は、一対の折込片３７ａ，３７ｂに分割されている。第２の折込片４１には、第１の差込片２７および第２の差込片２９に沿った位置に切り込み３９が設けられている。これにより、第２の折込片４１は、一対の折込片４１ａ，４１ｂに分割されている。これらの第１の折込片３７と第２の折込片４１は略同形状である。
【００２９】
切り込み３５における隙間は、折込片３７の基端側が狭く、折込片３７の先端側が広くなっている。基端側の隙間が狭いことによって差込片２７，２９の切り込み４３，４５と係合しやすくなって蓋板２３，２５が勝手に開かないように規制する効果が高まる。一方、先端側の隙間が広いことによって差込片２７，２９を差し込みやすくなっている。
【００３０】
この容器本体２１の上部開口を閉じる際には、まず第２の側面板１５の上端部１５ａおよび第４の側面板１９の上端部１９ａにおいて折込片３７，４１をそれぞれ折り曲げて上部開口の一部を覆う。ついで、蓋板２３，２５の先端部２３ａ，２５ａにおいて差込片２７，２９をそれぞれ折り曲げる。ついで、第１の側面板１３の上端部１３ａおよび第３の側面板１７の上端部１７ａにおいて蓋板２３，２５をそれぞれ折り曲げて差込片２７，２９を切り込み３５，３９に差し込む。これにより、容器本体２１の上部開口が閉じられる。
【００３１】
次に容器本体２１の下部構造について説明する。第１の側面板１３の下端部１３ｂからは、先端側に凹部９１ａを有する蓋板９１が延設されている。第３の側面板１７の下端部１７ｂからは、先端部に凸部９５ａを有する蓋板９５が延設されている。第２の側面板１５の下端部１５ｂからは、先端側に向かうにつれて左辺が中央側に傾斜し、先端部が左方に突出した凸部９３ａを有する蓋板９３が延設されている。第４の側面板１９の下端部１９ｂからは、先端側に向かうにつれて右辺が中央側に傾斜し、先端部が右方に突出した凸部９７ａを有する蓋板９７が延設されている。
【００３２】
この容器本体２１の下部開口を閉じる際には、まず第１の側面板１３の下端部１３ｂにおいて蓋板９１を折り曲げて下部開口の一部を覆う。ついで、第２の側面板１５の下端部１５ｂおよび第４の側面板１９の下端部１９ｂにおいて蓋板９３，９７をそれぞれ折り曲げて下部開口の一部を覆う。最後に、第３の側面板１７の下端部１７ｂにおいて蓋板９５を折り曲げて、凹部９１ａと凸部９３ａ，９７ａとの隙間に蓋板９５の凸部９５ａを差し込む。これにより、容器本体２１の下部開口が閉じられる。
【００３３】
図４は、容器本体２１の下部の構造の変形例を示す展開図である。図４に示す変形例では、容器本体２１の下部開口を塞ぐ構造が上部開口を塞ぐ構造に類似した形態である。したがって、この変形例にかかる包装容器は、下方からの外観上も容器の前面側と後面側がさらに区別され難くなっている。
【００３４】
第１の側面板１３の下端部１３ｂからは、容器本体２１の下部開口の一部を塞ぐ矩形状の蓋板７１が延設されている。第３の側面板１７の下端部１７ｂからは容器本体２１の下部開口の残部を塞ぎ、蓋板７１と同形状の蓋板８１が延設されている。
【００３５】
蓋板７１，８１の先端部７１ａ，８１ａからは、同形状の差込片７３と差込片８３がそれぞれ延設されている。これらの差込片７３，８３は、折り曲げ部位である稜線Ｌよりも先端側に設けられ、かつ、稜線Ｌと略平行に設けられた切り込み７５，８５をそれぞれの両サイドに有している。
【００３６】
第２の側面板１５の下端部１５ｂからは、折込片７７が延設されている。第４の側面板１９の下端部１９ｂからは、折込片８７が延設されている。これらの折込片７７，８７には、差込片７３，８３に沿った位置に切り込み７９，８９がそれぞれ設けられている。これらの折込片７７，８７は略同形状である。
【００３７】
この変形例における容器本体２１の下部開口を閉じる際には、上述した上部開口を閉じる手順と同様にすればよい。
【００３８】
以上説明したように、本実施形態によれば、容器本体の上部開口が、対向配置された側面板からそれぞれ延設された略同形状の一対の蓋板により塞がれており、これらの蓋板からそれぞれ差込片が延設されている。このように本実施形態にかかる包装容器は、外観上、前面側と後面側の差異がほとんどないので、店頭などに陳列されている際に消費者が前面側と後面側を区別するのが困難である。
【００３９】
また、本実施形態によれば、略同形状で対向して配置された一対の吊り下げ片を備えているので、依然として前面側と後面側の区別がつき難いことに加え、吊り下げ片を用いて包装容器を吊り下げて陳列することができる。また、吊り下げ部分が第１の吊り下げ片と第２の吊り下げ片の２重構造であるので、吊り下げ部分自体の強度が高められている。しかも、吊り下げ部分にかかる負荷は、それぞれの吊り下げ片から第１の側面板側と第３の側面板側に分散されるので、耐久性も向上する。
【００４０】
なお、本発明は、上記実施形態に限られるものではなく、その趣旨を逸脱しない範囲で種々変更、改良等が可能である。例えば、上記実施形態では、包装容器が透明のプラスチックで形成されている場合を例に挙げて説明したが、透明ではなく半透明のプラスチックまたは不透明のプラスチックで形成されていてもよく、紙などの他の材料で形成されていてもよい。
【００４１】
上記実施形態では、包装容器が１枚のシートを折り曲げて組み立てられたものである場合を例に挙げて説明したが、各部位が別体の部材で構成されておりこれらの部材を接合して組み立てられたものであってもよい。
【００４２】
上記実施形態では、貫通口を有する略矩形状の吊り下げ片を用いた場合を例に挙げて説明したが、先の曲がった鉤状の吊り下げ片などを用いることもできる。また、吊り下げ片を備えていない載置して陳列する包装容器であってもよい。
【００４３】
上記実施形態では、容器本体が正四角柱に近い形状である場合を例に挙げて説明したが、容器本体が正四角柱ではなく第１の側面板および第３の側面板の幅が第２の側面板および第４の側面板の幅よりも大きな四角柱、第１の側面板および第３の側面板の幅が第２の側面板および第４の側面板の幅よりも小さな四角柱などであってもよい。
【００４４】
また、容器本体が六角柱状、八角柱状などの形態であってもよい。例えば、容器本体が六角柱状である場合、この容器本体は、第１〜第４の側面板以外に第５の側面板および第６の側面板を有している。第５の側面板は、第１の側面板と第２の側面板の間、または第２の側面板と第３の側面板の間に配置され、第６の側面板は、第３の側面板と第４の側面板の間、または第４の側面板と第１の側面板の間に配置される。容器本体が六角柱状、八角柱状などであっても第１の側面板と第３の側面板は対向して配置され、第２の側面板と第４の側面板は対向して配置される。
【００４５】
さらに、上記実施形態では、蓋板の先端部に形成された凸部が蓋体の先端部の両サイドに配置されている形態を例に挙げて説明したが、例えば凸部が蓋板の先端部の中央寄りに配置されていてもよい。
【図面の簡単な説明】
【００４６】
【図１】本発明の一実施形態にかかる包装容器を示す斜視図である。
【図２】本実施形態にかかる包装容器の上部と下部を開口した状態を示す斜視図である。
【図３】本実施形態にかかる包装容器の展開図である。
【図４】容器本体の下方側の構造の変形例を示す展開図である。
【符号の説明】
【００４７】
１１  包装容器
１３  第１の側面板
１５  第２の側面板
１７  第３の側面板
１９  第４の側面板
２１  容器本体
２３  第１の蓋板
２５  第２の蓋板
２７  第１の差込片
２９  第２の差込片
３１  第１の吊り下げ片
３３  第２の吊り下げ片
３５，３９  折込片の切り込み
３７  第１の折込片
４１  第２の折込片
４３，４５  差込片の切り込み
【図１】
2010030649.tif 000003
【図２】
2010030649.tif 000004
【図３】
2010030649.tif 000005
【図４】
2010030649.tif 000006